【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
複数の画素を含む撮像手段により得られた複数の画像を、１枚の画像に重ね合わせ合成するぶれ補正装置であって、
合成する複数枚の画像間の位置ずれ量を検出する検出手段と、
前記合成する複数枚の画像の各画素のデータを、前記検出手段により検出された位置ずれ量に基づいて位置合わせしながら画素毎に加算して１枚の画像を生成する合成手段とを有し、
前記合成手段は、前記位置合わせ後に前記撮像手段の欠陥画素に対応する他の画像の画素のデータの内、欠陥画素を除く画素から出力されたデータを用いて、前記欠陥画素のデータ分を補正することを特徴とするぶれ補正装置。
【請求項２】
前記撮像手段の欠陥画素の位置情報を記憶した記憶手段と、
前記記憶手段に記憶された欠陥画素の位置情報に基づいて、前記複数枚の画像の各画素のデータの内、前記欠陥画素から出力されたデータを、欠陥画素から出力されたデータであることを示す予め設定された固定値に置き換える置換手段を更に有し、
前記合成手段は、画素のデータが前記置換手段によって前記固定値に置き換えられたデータであるかどうかにより、前記合成する複数枚の画像の各画素のデータが欠陥画素から出力されたデータであるか否かを判断することを特徴とする請求項１に記載のぶれ補正装置。
【請求項３】
前記撮像手段の欠陥画素の位置情報を記憶した記憶手段を更に有し、
前記合成手段は、前記記憶手段に記憶された欠陥画素の位置情報に基づいて、前記合成する複数枚の画像の各画素のデータが欠陥画素から出力されたデータであるか否かを判断することを特徴とする請求項１に記載のぶれ補正装置。
【請求項４】
欠陥画素のデータを、該欠陥画素の周辺画素のデータを利用して補正する補正手段を更に有し、
前記補正手段は、前記合成手段による前記複数枚の画像の合成後、前記加算によりデータが補正されなかった欠陥画素のデータを補正することを特徴とする請求項１乃至３のいずれか１項に記載のぶれ補正装置。
【請求項５】
前記合成手段は、前記複数枚の画像を２枚ずつ加算し、加算して得られた１枚の画像を他の１枚の画像と加算する処理を繰り返すことで、最終的に前記１枚の画像を生成し、前記加算時に前記欠陥画素のデータ分を補正する際に、前記欠陥画素を含む画像がｎ枚分の画素データから成る画像であって、加算対象である他の画像がｍ枚分の画素データから成る画像である場合に、前記他の画像の前記欠陥画素に対応する画素のデータを（ｎ＋ｍ）／ｍ倍したデータを、前記加算後の前記欠陥画素に対応する画素のデータとして出力することを特徴とする請求項１乃至４のいずれか１項に記載のぶれ補正装置。
【請求項６】
複数の画素を含む撮像手段により得られた複数枚の画像を、１枚の画像に重ね合わせ合成するぶれ補正装置であって、
前記撮像手段の欠陥画素の位置情報を記憶した記憶手段と、
前記記憶手段に記憶された欠陥画素の位置情報に基づいて、前記欠陥画素から出力されたデータを、周辺画素のデータを利用して補正する補正手段と、
合成する複数枚の画像間の位置ずれ量を検出する検出手段と、
前記補正手段により補正された前記合成する複数枚の画像の各画素のデータを、前記検出手段により検出された位置ずれ量に基づいて位置合わせしながら加算する合成手段と
を有することを特徴とするぶれ補正装置。
【請求項７】
請求項１乃至６のいずれか１項に記載のぶれ補正装置を搭載したことを特徴とする撮像装置。
【請求項８】
複数の画素を含む撮像手段により連続して短秒時露光して得られた複数枚の画像を、１枚の画像に重ね合わせ合成するぶれ補正方法であって、
合成する複数枚の画像間の位置ずれ量を検出する検出工程と、
前記合成する複数枚の画像の各画素のデータを、前記検出工程で検出された位置ずれ量に基づいて位置合わせしながら画素毎に加算して１枚の画像を生成する合成工程とを有し、
前記合成工程は、前記加算時に、前記位置合わせ後に前記撮像手段の欠陥画素に対応する他の画像の画素のデータの内、欠陥画素を除く画素から出力されたデータを用いて、前記欠陥画素のデータ分を補正することを特徴とするぶれ補正方法。
【請求項９】
複数の画素を含む撮像手段により得られた複数枚の画像を、１枚の画像に重ね合わせ合成するぶれ補正方法であって、
前記撮像手段の欠陥画素の位置情報を記憶した記憶手段から、前記位置情報を取得する取得工程と、
前記取得工程で取得した位置情報に基づいて、前記欠陥画素から出力されたデータを、周辺画素のデータを利用して補正する補正工程と、
合成する複数枚の画像間の位置ずれ量を検出する検出工程と、
前記補正工程により補正された前記合成する複数枚の画像の各画素のデータを、前記検出工程で検出された位置ずれ量に基づいて位置合わせしながら加算する合成工程と
を有することを特徴とするぶれ補正方法。
【請求項１０】
コンピュータに、請求項８または９に記載のぶれ補正方法の各工程を実行させるためのプログラム。
【請求項１１】
請求項１０に記載のプログラムを格納したことを特徴とするコンピュータが読み取り可能な記憶媒体。
【手続補正２】
【補正対象書類名】明細書
【補正対象項目名】０００７
【補正方法】変更
【補正の内容】
【０００７】
上記目的を達成するために、複数の画素を含む撮像手段により得られた複数枚の画像を、１枚の画像に重ね合わせ合成する本発明のぶれ補正装置は、合成する複数枚の画像間の位置ずれ量を検出する検出手段と、前記合成する複数枚の画像の各画素のデータを、前記検出手段により検出された位置ずれ量に基づいて位置合わせしながら画素毎に加算して１枚の画像を生成する合成手段とを有し、前記合成手段は、前記位置合わせ後に前記撮像手段の欠陥画素に対応する他の画像の画素のデータの内、欠陥画素を除く画素から出力されたデータを用いて、前記欠陥画素のデータ分を補正する。
【手続補正３】
【補正対象書類名】明細書
【補正対象項目名】０００８
【補正方法】変更
【補正の内容】
【０００８】
また、複数の画素を含む撮像手段により得られた複数枚の画像を、１枚の画像に重ね合わせ合成するぶれ補正方法は、合成する複数枚の画像間の位置ずれ量を検出する検出工程と、前記合成する複数枚の画像の各画素のデータを、前記検出工程で検出された位置ずれ量に基づいて位置合わせしながら画素毎に加算して１枚の画像を生成する合成工程とを有し、前記合成工程は、前記加算時に、前記位置合わせ後に前記撮像手段の欠陥画素に対応する他の画像の画素のデータの内、欠陥画素を除く画素から出力されたデータを用いて、前記欠陥画素のデータ分を補正する。
【手続補正４】
【補正対象書類名】明細書
【補正対象項目名】０００９
【補正方法】変更
【補正の内容】
【０００９】
また、本発明の別の構成によれば、複数の画素を含む撮像手段により得られた複数枚の画像を、１枚の画像に重ね合わせ合成するぶれ補正装置は、前記撮像手段の欠陥画素の位置情報を記憶した記憶手段と、前記記憶手段に記憶された欠陥画素の位置情報に基づいて、前記欠陥画素から出力されたデータを、周辺画素のデータを利用して補正する補正手段と、合成する複数枚の画像間の位置ずれ量を検出する検出手段と、前記補正手段により補正された前記合成する複数枚の画像の各画素のデータを、前記検出手段により検出された位置ずれ量に基づいて位置合わせしながら加算する合成手段とを有する。
【手続補正５】
【補正対象書類名】明細書
【補正対象項目名】００１０
【補正方法】変更
【補正の内容】
【００１０】
また、複数の画素を含む撮像手段により得られた複数枚の画像を、１枚の画像に重ね合わせ合成するぶれ補正方法は、前記撮像手段の欠陥画素の位置情報を記憶した記憶手段から、前記位置情報を取得する取得工程と、前記取得工程で取得した位置情報に基づいて、前記欠陥画素から出力されたデータを、周辺画素のデータを利用して補正する補正工程と、合成する複数枚の画像間の位置ずれ量を検出する検出工程と、前記補正工程により補正された前記合成する複数枚の画像の各画素のデータを、前記検出工程で検出された位置ずれ量に基づいて位置合わせしながら加算する合成工程とを有する。